(57)【要約】【課題】誤操作によって操作パネルの表示のための準備動作が開始されたときにおいても、コピー開始までの不要な待ち時間の増大を抑制することが可能な画像形成装置を提供する。【解決手段】ＭＦＰは、その動作モードを操作者の操作入力に応じて制御するモード制御部を有する。クイックコピーモードＭＤ１では、コピーモジュールがＲＯＭからＲＡＭにロードされている一方でパネルモジュールはＲＯＭからＲＡＭにロードされていない。詳細コピーモードＭＤ２では、コピーモジュールとパネルモジュールとがＲＯＭからＲＡＭにロードされている。モード制御部は、操作者の誤操作による詳細コピーモードＭＤ２への遷移中に、所定の操作入力が操作入力受付部によって受け付けられたときには、ＲＡＭへのパネルモジュールのロードを中断し、動作モードをクイックコピーモードＭＤ１へ遷移させる。【選択図】図８
2011154166.tif 000002
【特許請求の範囲】
【請求項１】
画像形成装置であって、
原稿のスキャン画像を転写材上に形成し、当該原稿をコピーするコピー手段と、
操作パネルを有し、操作者からの操作入力を受け付ける受付手段と、
不揮発性の記憶部であって、コピーモジュールとパネルモジュールとを含む複数のモジュールを記憶している第１の記憶部と、
前記第１の記憶部よりも高速にアクセス可能な第２の記憶部と、
前記第１の記憶部から前記第２の記憶部にロードされた前記コピーモジュールを用いて前記コピー手段のコピー動作を制御するとともに、前記第１の記憶部から前記第２の記憶部にロードされた前記パネルモジュールを用いて前記操作パネルの表示動作を制御する制御手段と、
を備え、
前記制御手段は、
前記画像形成装置の動作モードを制御するモード制御手段であって、スリープモードと第１のコピーモードと第２のコピーモードとを含む複数のモード間の遷移を、前記操作者からの操作入力に応じて制御するモード制御手段、
を有し、
前記スリープモードにおいては、前記コピーモジュールと前記パネルモジュールとの両モジュールのいずれもが前記第２の記憶部にロードされておらず、
前記第１のコピーモードにおいては、前記両モジュールのうち前記コピーモジュールが前記第２の記憶部にロードされている一方で前記パネルモジュールは前記第２の記憶部にロードされておらず、
前記第２のコピーモードにおいては、前記両モジュールのいずれもが前記第２の記憶部にロードされており、
前記モード制御手段は、前記操作者の誤操作による前記第２のコピーモードへの遷移中に、所定の操作入力が前記受付手段によって受け付けられたときには、前記第２の記憶部への前記パネルモジュールのロードを中断し、前記動作モードを前記第１のコピーモードへ遷移させることを特徴とする画像形成装置。
【請求項２】
請求項１に記載の画像形成装置において、
前記モード制御手段は、
前記スリープモードにおいて前記第１のコピーモードへの遷移指示である第１の遷移指示が前記受付手段によって受け付けられたときには、前記コピーモジュールを前記第２の記憶部にロードして前記動作モードを前記スリープモードから前記第１のコピーモードへ遷移させ、
前記第１のコピーモードにおいて前記第２のコピーモードへの遷移指示である第２の遷移指示が前記受付手段によって受け付けられたときには、前記パネルモジュールを前記第２の記憶部にロードして前記動作モードを前記第１のコピーモードから前記第２のコピーモードへ遷移させ、
前記操作者の誤操作により前記第２の遷移指示が受け付けられ前記第１のコピーモードから前記第２のコピーモードへの遷移が実行されている際において、前記所定の操作入力が前記受付手段によって受け付けられたときには、前記第２の記憶部への前記パネルモジュールのロードを中断し、前記動作モードを前記第１のコピーモードへ遷移させることを特徴とする画像形成装置。
【請求項３】
請求項２に記載の画像形成装置において、
前記モード制御手段は、
前記スリープモードにおいて前記第２のコピーモードへの遷移指示である第３の遷移指示が前記受付手段によって受け付けられたときには、前記両モジュールを前記第２の記憶部にロードして前記動作モードを前記スリープモードから前記第２のコピーモードへ遷移させ、
前記操作者の誤操作に応じて前記第２の遷移指示あるいは前記第３の遷移指示が受け付けられ前記第１のコピーモードあるいは前記スリープモードから前記第２のコピーモードへの遷移が実行されている際において、前記所定の操作入力が前記受付手段によって受け付けられたときには、前記第２の記憶部への前記パネルモジュールのロードを中断し、前記動作モードを前記第１のコピーモードへ遷移させることを特徴とする画像形成装置。
【請求項４】
請求項１に記載の画像形成装置において、
前記モード制御手段は、
前記スリープモードにおいて前記第１のコピーモードへの遷移指示である第１の遷移指示が前記受付手段によって受け付けられたときには、前記コピーモジュールを前記第２の記憶部にロードして前記動作モードを前記スリープモードから前記第１のコピーモードへ遷移させ、
前記スリープモードにおいて前記第２のコピーモードへの遷移指示である第２の遷移指示が前記受付手段によって受け付けられたときには、前記両モジュールを前記第２の記憶部にロードして前記動作モードを前記スリープモードから前記第２のコピーモードへ遷移させ、
前記操作者の誤操作により前記第２の遷移指示が受け付けられ前記スリープモードから前記第２のコピーモードへの遷移が実行されている際において、前記所定の操作入力が前記受付手段によって受け付けられたときには、前記第２の記憶部への前記パネルモジュールのロードを中断し、前記動作モードを前記第１のコピーモードへ遷移させることを特徴とする画像形成装置。
【請求項５】
請求項１ないし請求項４のいずれかに記載の画像形成装置において、
前記受付手段は、前記所定の操作入力を受け付けるロード中断キーをさらに有し、
前記モード制御手段は、前記第２のコピーモードへの遷移中に前記ロード中断キーによる操作入力が前記受付手段によって受け付けられたときには、前記第２の記憶部への前記パネルモジュールのロードを中断し、前記第１のコピーモードへ遷移させることを特徴とする画像形成装置。
【請求項６】
請求項１ないし請求項５のいずれかに記載の画像形成装置において、
前記受付手段は、前記第２の記憶部への前記パネルモジュールのロードが中断され前記動作モードが記第１のコピーモードに遷移したときには、前記第１のコピーモードへの遷移完了時点から所定の期間を経過するまでは、前記第２のコピーモードへの遷移を指示する操作入力を無効とみなし、当該操作入力を受け付けないことを特徴とする画像形成装置。
【請求項７】
請求項１ないし請求項６のいずれかに記載の画像形成装置において、
前記受付手段は、前記コピー手段によってコピーを開始させるコピー開始キーをさらに有し、
前記コピー開始キーは、動作モードに応じて点灯若しくは消灯する発光部をさらに含み、
前記発光部は、前記スリープモードにおいては消灯し、前記第１のコピーモードにおいては点灯することを特徴とする画像形成装置。
【請求項８】
請求項１ないし請求項７のいずれかに記載の画像形成装置において、
前記パネルモジュールを前記第１の記憶部から前記第２の記憶部へとロードするための所要時間は、前記コピーモジュールを前記第１の記憶部から前記第２の記憶部へとロードするための所要時間よりも長いことを特徴とする画像形成装置。
【発明の詳細な説明】
【技術分野】
【０００１】
本発明は、画像形成装置に関する。
【背景技術】
【０００２】
ＭＦＰ（Multi Function Peripherals（マルチ・ファンクション・ペリフェラル））等の画像形成装置の中には、省電力を目的として、不使用状態が一定時間を経過すると、作動モードからスリープモード（省電力モード）へ遷移し、一部の機能以外の機能を停止させるものが有る。このような画像形成装置では、更なる消費電力の低減（省電力）を目的として、スリープモードから作動モードへと復帰した場合に、特定の条件下においては、一部の機能を停止させたままにするものが存在する。
【０００３】
たとえば、特許文献１に記載の技術においては、コピーアプリにおける自動サイズ検知および／または自動カラー選択が設定されている場合には、操作部における操作パネルの表示用バックライトを、待機中（スリープモード）からコピー中（作動モード）を含めてＯＦＦにすることが示されている。これによれば、スリープモードから作動モードへ復帰した場合に、コピーアプリにおける自動サイズ検知および／または自動カラー選択が設定されているときには、操作パネルの表示機能を停止させたままにすることができるので、消費電力を低減させることが可能である。
【先行技術文献】
【特許文献】
【０００４】
【特許文献１】特開２００１−２０１９８６号公報
【発明の概要】
【発明が解決しようとする課題】
【０００５】
しかしながら、上述の特許文献１に記載の技術では、コピー動作要求時において自動サイズ検知および／または自動カラー選択が設定されていない場合には、スリープモードから作動モードへ復帰したときには、操作パネルの表示機能は常にオンに戻る。そのため、自動サイズ検知および／または自動カラー選択が設定されていないときには、消費電力を図ることはできない。すなわち、操作パネルの表示と非表示とが装置の設定内容に依拠して決定されるため、操作者の意図は必ずしも反映されないという問題がある。
【０００６】
そこで、この発明は、スリープモードからの復帰時にコピーを行う際に、操作者の意図を反映させて、操作パネルの表示と非表示とを切り換えることが可能な技術を提供することを第１の課題とする。
【０００７】
また、このような第１の課題に対して、本願発明者は、操作パネルの表示と非表示とを操作者の操作入力に基づいて切り換える技術を想起した。このような技術としては、後に詳述するように、操作パネルの表示を伴わずにコピー動作を行うことが可能なクイックコピーモードと、操作パネルの表示を伴ってコピー動作を行う詳細コピーモードとを、操作者の操作入力に応じて切り換える技術などが例示される。これによれば、操作者（ユーザ）の意図を反映して、適切なコピー動作を実行することができる。また、操作者がクイックコピーモードをその意図に応じて適切に利用することにより、消費電力を適切に低減することも可能である。
【０００８】
しかしながら、操作者は、誤った操作入力を行うことがある。例えば、操作パネルを「非表示」にしたままでコピーを行いたいにもかかわらず、操作パネルを「表示」させるコピーモードへの遷移指示を誤操作によって付与してしまうことが考えられる。そして、このような遷移指示がなされると、消費電力を適切に低減することができない。また、それに加えて、当該装置においては、操作パネルを表示させるための準備動作（プログラムモジュールのロード動作等）が実行され、当該準備動作の完了を待つことになる。近年、操作パネルの表示内容の多様化等に伴って操作パネルの表示に関するデータ量が増大していることもあり、この準備動作は比較的長時間を要する。そのため、操作者は、コピー開始までに想定外の長い待ち時間を強いられることになる。
【０００９】
そこで、この発明は、誤操作によって操作パネルの表示のための準備動作が開始されたときにおいても、コピー開始までの不要な待ち時間の増大を抑制することが可能な画像形成装置を提供することを第２の課題とする。
【課題を解決するための手段】
【００１０】
上記第１および第２の課題を解決すべく、請求項１の発明は、画像形成装置であって、原稿のスキャン画像を転写材上に形成し、当該原稿をコピーするコピー手段と、操作パネルを有し、操作者からの操作入力を受け付ける受付手段と、不揮発性の記憶部であって、コピーモジュールとパネルモジュールとを含む複数のモジュールを記憶している第１の記憶部と、前記第１の記憶部よりも高速にアクセス可能な第２の記憶部と、前記第１の記憶部から前記第２の記憶部にロードされた前記コピーモジュールを用いて前記コピー手段のコピー動作を制御するとともに、前記第１の記憶部から前記第２の記憶部にロードされた前記パネルモジュールを用いて前記操作パネルの表示動作を制御する制御手段と、を備え、前記制御手段は、前記画像形成装置の動作モードを制御するモード制御手段であって、スリープモードと第１のコピーモードと第２のコピーモードとを含む複数のモード間の遷移を、前記操作者からの操作入力に応じて制御するモード制御手段、を有し、前記スリープモードにおいては、前記コピーモジュールと前記パネルモジュールとの両モジュールのいずれもが前記第２の記憶部にロードされておらず、前記第１のコピーモードにおいては、前記両モジュールのうち前記コピーモジュールが前記第２の記憶部にロードされている一方で前記パネルモジュールは前記第２の記憶部にロードされておらず、前記第２のコピーモードにおいては、前記両モジュールのいずれもが前記第２の記憶部にロードされており、前記モード制御手段は、前記操作者の誤操作による前記第２のコピーモードへの遷移中に、所定の操作入力が前記受付手段によって受け付けられたときには、前記第２の記憶部への前記パネルモジュールのロードを中断し、前記動作モードを前記第１のコピーモードへ遷移させることを特徴とする。
【００１１】
請求項２の発明は、請求項１の発明に係る画像形成装置において、前記モード制御手段は、前記スリープモードにおいて前記第１のコピーモードへの遷移指示である第１の遷移指示が前記受付手段によって受け付けられたときには、前記コピーモジュールを前記第２の記憶部にロードして前記動作モードを前記スリープモードから前記第１のコピーモードへ遷移させ、前記第１のコピーモードにおいて前記第２のコピーモードへの遷移指示である第２の遷移指示が前記受付手段によって受け付けられたときには、前記パネルモジュールを前記第２の記憶部にロードして前記動作モードを前記第１のコピーモードから前記第２のコピーモードへ遷移させ、前記操作者の誤操作により前記第２の遷移指示が受け付けられ前記第１のコピーモードから前記第２のコピーモードへの遷移が実行されている際において、前記所定の操作入力が前記受付手段によって受け付けられたときには、前記第２の記憶部への前記パネルモジュールのロードを中断し、前記動作モードを前記第１のコピーモードへ遷移させることを特徴とする。
【００１２】
請求項３の発明は、請求項２の発明に係る画像形成装置において、前記モード制御手段は、前記スリープモードにおいて前記第２のコピーモードへの遷移指示である第３の遷移指示が前記受付手段によって受け付けられたときには、前記両モジュールを前記第２の記憶部にロードして前記動作モードを前記スリープモードから前記第２のコピーモードへ遷移させ、前記操作者の誤操作に応じて前記第２の遷移指示あるいは前記第３の遷移指示が受け付けられ前記第１のコピーモードあるいは前記スリープモードから前記第２のコピーモードへの遷移が実行されている際において、前記所定の操作入力が前記受付手段によって受け付けられたときには、前記第２の記憶部への前記パネルモジュールのロードを中断し、前記動作モードを前記第１のコピーモードへ遷移させることを特徴とする。
【００１３】
請求項４の発明は、請求項１の発明に係る画像形成装置において、前記モード制御手段は、前記スリープモードにおいて前記第１のコピーモードへの遷移指示である第１の遷移指示が前記受付手段によって受け付けられたときには、前記コピーモジュールを前記第２の記憶部にロードして前記動作モードを前記スリープモードから前記第１のコピーモードへ遷移させ、前記スリープモードにおいて前記第２のコピーモードへの遷移指示である第２の遷移指示が前記受付手段によって受け付けられたときには、前記両モジュールを前記第２の記憶部にロードして前記動作モードを前記スリープモードから前記第２のコピーモードへ遷移させ、前記操作者の誤操作により前記第２の遷移指示が受け付けられ前記スリープモードから前記第２のコピーモードへの遷移が実行されている際において、前記所定の操作入力が前記受付手段によって受け付けられたときには、前記第２の記憶部への前記パネルモジュールのロードを中断し、前記動作モードを前記第１のコピーモードへ遷移させることを特徴とする。
【００１４】
請求項５の発明は、請求項１ないし請求項４のいずれかの発明に係る画像形成装置において、前記受付手段は、前記所定の操作入力を受け付けるロード中断キーをさらに有し、前記モード制御手段は、前記第２のコピーモードへの遷移中に前記ロード中断キーによる操作入力が前記受付手段によって受け付けられたときには、前記第２の記憶部への前記パネルモジュールのロードを中断し、前記第１のコピーモードへ遷移させることを特徴とする。
【００１５】
請求項６の発明は、請求項１ないし請求項５のいずれかの発明に係る画像形成装置において、前記受付手段は、前記第２の記憶部への前記パネルモジュールのロードが中断され前記動作モードが記第１のコピーモードに遷移したときには、前記第１のコピーモードへの遷移完了時点から所定の期間を経過するまでは、前記第２のコピーモードへの遷移を指示する操作入力を無効とみなし、当該操作入力を受け付けないことを特徴とする。
【００１６】
請求項７の発明は、請求項１ないし請求項６のいずれかの発明に係る画像形成装置において、前記受付手段は、前記コピー手段によってコピーを開始させるコピー開始キーをさらに有し、前記コピー開始キーは、動作モードに応じて点灯若しくは消灯する発光部をさらに含み、前記発光部は、前記スリープモードにおいては消灯し、前記第１のコピーモードにおいては点灯することを特徴とする。
【００１７】
請求項８の発明は、請求項１ないし請求項７のいずれかの発明に係る画像形成装置において、前記パネルモジュールを前記第１の記憶部から前記第２の記憶部へとロードするための所要時間は、前記コピーモジュールを前記第１の記憶部から前記第２の記憶部へとロードするための所要時間よりも長いことを特徴とする。
【発明の効果】
【００１８】
請求項１ないし請求項８に記載の発明によれば、操作者は、パネルモジュールのロードを要しない第１のコピーモードにおけるコピー動作と、操作パネルの表示動作を伴う第２のコピーモードにおけるコピー動作とを適宜に選択して実行することが可能である。したがって、操作者の意図を反映させてコピー動作中における操作パネルの表示と非表示とを適宜に切り換えることが可能である。また、操作者は、誤操作により第２のコピーモードへの遷移を開始させてしまった場合であっても、所定の操作入力を付与することによって、パネルモジュールのロードを中断し動作モードを第１のコピーモードへと遷移させることができる。したがって、操作者は、比較的長時間を要するパネルモジュールのロードの完了を待つことなく、第１のコピーモードにおけるコピーを実行することが可能である。すなわち、コピー開始までの待ち時間を短縮させることが可能である。
【００１９】
また特に、請求項５に記載の発明によれば、第２のコピーモードへの遷移中にロード中断キーによる操作入力が受け付けられたときには、第２の記憶部へのパネルモジュールのロードが中断され、第１のコピーモードへの遷移が行われるので、パネルモジュールのロードを中断させる操作入力の種類が明確になる。したがって、操作者は、当該ロード中断キーを用いてパネルモジュールの第２の記憶部へのロードをより的確に中断させ、動作モードを第１のコピーモードへより的確に遷移させることが可能である。
【００２０】
また特に、請求項６に記載の発明によれば、第２の記憶部へのパネルモジュールのロードが中断され、動作モードが第１のコピーモードに遷移したときには、第１のコピーモードへの遷移完了時点から所定の期間を経過するまでは、第２のコピーモードへの遷移を指示する操作入力が受け付けられない。したがって、第１のコピーモードへの復帰後に操作者の誤操作により第２の記憶部へのパネルモジュールのロードが開始されること、を防ぐことができる。
【００２１】
また特に、請求項７に記載の発明によれば、発光部はスリープモードにおいては消灯し第１のコピーモードにおいては点灯するので、操作者はスリープモードと第１のコピーモードとを視覚的に区別することができる。したがって、動作モードが実際には第１のコピーモードであるにもかかわらず当該動作モードがスリープモードであると誤認識されること、を防止することが可能である。ひいては、当該誤認識によって生じる誤操作を防止することが可能である。
【図面の簡単な説明】
【００２２】
【図１】ＭＦＰの概略構成を示す図である。
【図２】操作入力受付部を示す図である。
【図３】ＭＦＰのハードウェアの構成を示すブロック図である。
【図４】ＭＦＰの機能的構成を示す機能ブロック図である。
【図５】各モジュールをＲＡＭへロードするための所要時間を示す図である。
【図６】各モードにおけるコピーモジュールおよび／またはパネルモジュールのＲＡＭへのロード状況を示す図である。
【図７】操作入力受付部で受け付けられる操作入力に割り当てられる指示内容を示す図である。
【図８】モード遷移を示す図である。
【図９】モード制御部の動作を説明するためのフローチャートである。
【図１０】モード制御部の動作を説明するためのフローチャートである。
【図１１】モード制御部の動作を説明するためのフローチャートである。
【図１２】操作入力受付部で受け付けられる操作入力に割り当てられる指示内容を示す図である。
【図１３】モード遷移を示す図である。
【図１４】モード制御部の動作を説明するためのフローチャートである。
【図１５】操作入力受付部を示す図である。
【発明を実施するための形態】
【００２３】
以下、図面を参照しつつ、本発明の実施の形態について説明する。
【００２４】
＜１．第１実施形態＞
＜１−１．概略構成＞
図１は、本発明の画像形成装置の一実施形態であるＭＦＰ１の外観を示す概略図である。
【００２５】
ＭＦＰ１は、スキャナ機能、プリンタ機能およびコピー機能などを備える装置（複合機とも称する）である。具体的には、ＭＦＰ１は、操作入力受付部２０、画像読取部３０、印刷出力部４０等を備えており、これらの各部を複合的に動作させることによって、上記の各機能を実現する。
【００２６】
画像読取部３０は、写真、文字、絵などの画像情報を原稿から光電的に読み取って画像データ（スキャン画像）を生成して取得する。
【００２７】
印刷出力部４０は、画像読取部３０によって取得された画像データ等に基づいて、記録紙上に画像を印刷する。
【００２８】
図２は、図１の操作入力受付部２０を拡大した図である。
【００２９】
図２に示すように、操作入力受付部２０は、操作者からの各種の操作入力を受け付ける入力部であり、操作パネル２１とハードキー２３とを有する。
【００３０】
操作パネル２１は、タッチパネル式のディスプレイ（タッチスクリーン）であり、操作メニュー等を表示するとともに、表示された（仮想的な）操作ボタンの画像に対する接触操作を検知することによって、ＭＦＰ１に対する操作者からの操作を受け付ける。
【００３１】
ハードキー２３は、数字等の入力のためのテンキー２３１と、ストップキー２３３と、スタートキー２３５とを含む。ストップキー２３３は、動作の一時停止等を指示するキーである。スタートキー２３５は、各機能の動作の開始等を指示するキーである。また、スタートキー２３５には、動作モードに応じて点灯若しくは消灯するキー点灯部（発光部）２３５Ｌが備えられている。キー点灯部２３５Ｌは、コピー動作を開始できる状態（クイックコピーモードＭＤ１及び詳細コピーモードＭＤ２）（後述）においては点灯し、省電力状態（スリープモードＭＤ０）（後述）においては消灯する。また、キー点灯部２３５Ｌは、スリープモードＭＤ０からクイックコピーモードＭＤ１への遷移中と、クイックコピーモードＭＤ１から詳細コピーモードＭＤ２への遷移中とにおいては、それぞれ点滅する。
【００３２】
これらの操作パネル２１およびハードキー２３は、モード遷移指示等をも受け付ける。これについては後に詳述する（図６参照）。
【００３３】
図３は、ＭＦＰ１のハードウェアの構成を示すブロック図である。
【００３４】
ＲＯＭ（Read Only Memory）５０は、例えば電気的に書き換えが可能な不揮発性メモリであるフラッシュメモリあるいはＥＥＰＲＯＭ（Electrically Erasable Programmable ROM）などで構成される。ＲＯＭ５０には、主制御部１０の動作のためのプログラムモジュールおよび／またはデータモジュール（以下、ソフトウェアモジュール（或いは単にモジュール）と総称する）などが格納されている。より詳細には、ＲＯＭ５０には、コピーモジュールＰ１、パネルモジュールＰ２等が格納されている。コピーモジュールＰ１は、コピー制御部１１（後述）によるコピー動作を制御するのに用いられる。パネルモジュールＰ２は、操作パネル２１の表示動作を制御するのに用いられる。これらのモジュールＰ１，Ｐ２は、操作入力受付部２０で受け付けられる操作入力等に応じてＲＡＭ（Random Access Memory）６０（後述）にロードされる。
【００３５】
ＲＡＭ６０は、例えばＳＩＭＭ（Single Inline Memory Module）あるいはＤＩＭＭ（Dual Inline Memory Module）で構成され、ＲＯＭ５０よりも高速にアクセス（読み出しおよび／または書き出し）が可能である。主制御部１０が動作する際には、ＲＯＭ５０内のモジュールがＲＡＭ６０にロード（換言すれば、複製）され、主制御部１０は、高速アクセス可能なＲＡＭ６０にロードされたモジュールにアクセスすることによって、高速動作を実現する。なお、ＲＯＭ５０内のモジュールをＲＡＭ６０にロードする際には、当該モジュールをロードするメモリが確保できているか否かが判定される。そして、メモリが確保できていると判定された場合には、当該モジュールがＲＡＭ６０にロードされる。
【００３６】
図４は、主制御部１０の機能ブロック図である。主制御部１０は、コピー制御部１１、モード制御部１３、表示制御部１５等の各種処理部を備えている。
【００３７】
コピー制御部１１は、原稿のスキャン画像を記録紙（転写材）上に形成し当該原稿をコピーする動作（いわゆるコピー動作）を制御する。具体的には、画像読取部３０が、原稿をスキャンしてスキャン画像を生成し、印刷出力部４０が、当該スキャン画像に基づいて、画像を記録紙上に印刷する。換言すれば、画像読取部３０および印刷出力部４０は物理的なコピー手段として動作し、コピー制御部１１は当該コピー手段の動作を制御する。コピー制御部１１は、ＲＡＭ６０にロードされたコピーモジュールＰ１を用いて、コピー動作を制御する。
【００３８】
モード制御部１３は、ＭＦＰ１の動作モードを制御する。具体的には、後に詳述するように、スリープモードＭＤ０とクイックコピーモードＭＤ１と詳細コピーモードＭＤ２とを含む複数のモード間の遷移を、操作者からの操作入力に応じて制御する。
【００３９】
表示制御部１５は、ＲＡＭ６０にロードされたパネルモジュールＰ２を用いて操作パネル２１の表示動作を制御する。
【００４０】
なお、主制御部１０は、ＣＰＵ（Central Processing Unit）などで構成される。主制御部１０は、ＲＡＭ６０および／またはＲＯＭ５０に格納されたモジュールに基づいて動作することによって、コピー制御部１１、モード制御部１３、表示制御部１５などの機能を実現する。
【００４１】
図５は、各モジュールＰ１，Ｐ２をＲＡＭ６０にロードするための所要時間を示す図である。具体的には、所要時間ＴＭ１は、コピーモジュールＰ１をＲＡＭ６０にロードするのに要する時間を示し、所要時間ＴＭ２は、パネルモジュールＰ２をＲＡＭ６０にロードするのに要する時間を示している。図５に示されるように、所要時間ＴＭ２（４０秒）は、所要時間ＴＭ１（１５秒）よりも長い。
【００４２】
図６は、各モードＭＤ０，ＭＤ１，ＭＤ２におけるコピーモジュールＰ１および／またはパネルモジュールＰ２のＲＡＭ６０へのロード状況を示す図である。モード制御部１３は、各モジュールＰ１，Ｐ２のロードの有無を変更することによって、スリープモードＭＤ０とクイックコピーモードＭＤ１と詳細コピーモードＭＤ２との３つのモードのうちの或るモードから別のモードへの遷移を制御する。
【００４３】
図６に示すように、スリープモードＭＤ０は、コピーモジュールＰ１とパネルモジュールＰ２との両モジュールがＲＡＭ６０にロードされていないモードである。スリープモードＭＤ０においては、両モジュールがＲＡＭ６０にロードされていないので、コピー制御部１１によってコピーをすることも操作パネル２１を表示させることもできない。
【００４４】
クイックコピーモードＭＤ１は、当該両モジュールのうちコピーモジュールＰ１がＲＡＭ６０にロードされているモードである。クイックコピーモードＭＤ１においては、両モジュールのうち、コピーモジュールＰ１はＲＡＭ６０にロードされているが、パネルモジュールＰ２はＲＡＭ６０にロードされていない。そのため、クイックコピーモードＭＤ１においては、コピー制御部１１によってコピーをすることは可能であるが、操作パネル２１を表示させることはできない。したがって、コピー制御部１１は、クイックコピーモードＭＤ１においては、予め登録された設定（たとえば、モノクロ、Ａ４サイズ、片面、１ｉｎ１など）でコピーを実行する。クイックコピーモードＭＤ１は、操作パネルの表示を伴わずに（デフォルト設定で）コピー動作を簡易に実行するモードであるとも表現される。
【００４５】
詳細コピーモードＭＤ２は、当該両モジュールがＲＡＭ６０にロードされているモードである。詳細コピーモードＭＤ２においては、両モジュールがＲＡＭ６０にロードされているので、コピー制御部１１によってコピーをすることも操作パネル２１を表示させることも可能である。したがって、詳細コピーモードＭＤ２では、予め登録された設定を操作パネル２１を通じて変更し、独自の設定（たとえば、カラー、Ａ３サイズ、両面、４ｉｎ１）でコピーをすることも可能である。ただし、詳細コピーモードＭＤ２への遷移においては、パネルモジュールＰ２をＲＡＭ６０にロードするための所要時間ＴＭ２（図５）をさらに要する。そのため、詳細コピーモードＭＤ２によるコピー開始までの待ち時間は、クイックコピーモードＭＤ１によるコピー開始までの待ち時間よりも長くなる。特に、上述したようにパネルモジュールＰ２のロード時間ＴＭ２は、コピーモジュールＰ１のロード時間ＴＭ１よりも大きい（長い）ため、待ち時間の増大は顕著である。なお、詳細コピーモードＭＤ２は、操作パネルの表示を伴って各種設定を変更することによりコピー動作を詳細に実行するモードであるとも表現される。
【００４６】
図７は、操作入力受付部２０で受け付けられる操作入力に割り当てられる指示内容を示す図である。なお、操作入力受付部２０で受け付けられる操作入力には、操作パネル２１によって受け付けられるものとハードキー２３（テンキー２３１、ストップキー２３３、スタートキー２３５）とによって受け付けられるものとが有る。
【００４７】
図７に示すように、スリープモードＭＤ０においては、クイックコピーモードＭＤ１への遷移を指示する指示内容が、操作入力受付部２０で受け付けられる任意の種類の操作入力（操作パネル２１に対する操作入力および／またはハードキー２３に対する操作入力）に対して割り当てられる。換言すれば、ＭＦＰ１は、スリープモードＭＤ０における任意の操作入力をクイックコピーモードＭＤ１への遷移指示として認識する。
【００４８】
クイックコピーモードＭＤ１においては、コピー開始を指示する指示内容が、スタートキー２３５による操作入力に対して割り当てられ、詳細コピーモードＭＤ２への遷移を指示する指示内容が、スタートキー２３５以外の操作入力部による操作入力に対して割り当てられる。換言すれば、ＭＦＰ１は、クイックコピーモードＭＤ１におけるスタートキー２３５による操作入力を「コピー開始指示」として認識し、クイックコピーモードＭＤ１におけるスタートキー２３５以外の操作入力部による操作入力を「詳細コピーモードＭＤ２への遷移指示」として認識する。
【００４９】
クイックコピーモードＭＤ１から詳細コピーモードＭＤ２への遷移中においては、詳細コピーモードＭＤ２への遷移の中断と、クイックコピーモードＭＤ１への遷移（復帰）とを指示する指示内容とが、操作入力受付部２０で受け付けられる任意の種類の操作入力に対して割り当てられる。換言すれば、ＭＦＰ１は、クイックコピーモードＭＤ１から詳細コピーモードＭＤ２への遷移中における任意の操作入力を、クイックコピーモードＭＤ１への遷移指示（復帰指示）として認識する。
【００５０】
＜１−２．動作＞
以下、図８〜図１１を参照しながら、ＭＦＰ１における動作について説明する。
【００５１】
図８は、モード制御部１３によって制御されるモード遷移ＣＳ１，ＣＳ２，ＣＳ３を示す図である。モード遷移ＣＳ１は、スリープモードＭＤ０からクイックコピーモードＭＤ１への遷移であり、モード遷移ＣＳ２は、クイックコピーモードＭＤ１から詳細コピーモードＭＤ２への遷移である。モード遷移ＣＳ３は、モード遷移ＣＳ２の亜種であり、モード遷移ＣＳ２の例外的なモード遷移である。具体的には、モード遷移ＣＳ３は、クイックコピーモードＭＤ１から詳細コピーモードＭＤ２への遷移を中断する動作とクイックコピーモードＭＤ１への移行動作（復帰動作）との組合せにより構成される遷移動作（組合せ遷移）である。
【００５２】
図９〜図１１は、それぞれモード遷移ＣＳ１，ＣＳ２，ＣＳ３におけるモード制御部１３の動作等を説明するためのフローチャートである。
【００５３】
はじめに、図９を参照して、モード遷移ＣＳ１における動作について詳細に説明する。スリープモードＭＤ０において、操作入力受付部２０でクイックコピーモードＭＤ１への遷移を指示する操作入力（すなわち、任意の種類の操作入力）が受け付けられたときには、モード制御部１３は、コピーモジュールＰ１をＲＡＭ６０にロードし動作モードをスリープモードＭＤ０からクイックコピーモードＭＤ１へ遷移させる。
【００５４】
具体的には、スリープモードＭＤ０において、操作入力受付部２０で操作入力が受け付けられると（図９のステップＳ１１）、ＲＯＭ５０に格納されているコピーモジュールＰ１のＲＡＭ６０へのロードが開始され（ステップＳ１２）、当該コピーモジュールＰ１はＲＡＭ６０へ複製される。
【００５５】
より詳細には、コピーモジュールＰ１のロードが開始されると（ステップＳ１２）、スタートキー２３５に備えられたキー点灯部２３５Ｌが点滅する（ステップＳ１３）。その後、コピーモジュールＰ１のロードが完了すると（ステップＳ１４）、キー点灯部２３５Ｌは点滅から点灯に変わり（ステップＳ１５）、クイックコピーモードＭＤ１への遷移が完了する（ステップＳ１６）。
【００５６】
なお、クイックコピーモードＭＤ１への遷移はパネルモジュールＰ２のロードを要しないため、スリープモードＭＤ０からクイックコピーモードＭＤ１への遷移に要する時間は、スリープモードＭＤ０から詳細コピーモードＭＤ２への遷移に要する時間よりも短時間で済む。
【００５７】
つぎに、図１０を参照して、モード遷移ＣＳ２における動作等について詳細に説明する。クイックコピーモードＭＤ１において、操作入力受付部２０で詳細コピーモードＭＤ２への遷移を指示する操作入力（すなわち、スタートキー２３５以外に対する操作入力）が受け付けられたときには、モード制御部１３は、パネルモジュールＰ２をＲＡＭ６０にロードし動作モードをクイックコピーモードＭＤ１から詳細コピーモードＭＤ２へ遷移させる。
【００５８】
図１０のステップＳ２１に示すように、クイックコピーモードＭＤ１において、操作入力受付部２０で操作者からの操作入力が受け付けられると（図１０のステップＳ２１）、当該操作入力がスタートキー２３５に対する操作入力（押下操作）であるか否かが判定される（ステップＳ２２）。
【００５９】
ステップＳ２２において、スタートキー２３５に対する操作入力が受け付けられたと判定された場合には、当該操作入力はコピー開始指示として認識される（図７参照）。そして、コピー制御部１１は、当該コピー開始指示に応答して、予め登録された設定内容に基づいて原稿のコピー動作を実行する。
【００６０】
一方、ステップＳ２２において、スタートキー２３５以外の操作入力部に対する操作入力が受け付けられたと判定された場合には、当該操作入力は詳細コピーモードＭＤ２への遷移指示として認識され（図７参照）、当該遷移指示に応答してモード遷移ＣＳ２が実行される。
【００６１】
具体的には、モード制御部１３は、パネルモジュールＰ２のロードを開始し（ステップＳ２３）、当該パネルモジュールＰ２をＲＡＭ６０に複製する。その後、パネルモジュールＰ２のロードが完了すると（ステップＳ２４）、表示制御部１５は、パネルモジュールＰ２に基づいて操作パネル２１を表示させ（ステップＳ２６）、詳細コピーモードＭＤ２への遷移が完了する（ステップＳ２６）。なお、上述したように、詳細コピーモードＭＤ２への遷移完了後においては、操作パネル２１を利用した設定変更を伴ってコピー動作を実行することが可能である。
【００６２】
以上のように、操作者の操作入力に応じて、スリープモードＭＤ０からクイックコピーモードＭＤ１あるいは詳細コピーモードＭＤ２への遷移が制御される。詳細には、スリープモードＭＤ０からクイックコピーモードＭＤ１への遷移と、スリープモードＭＤ０からクイックコピーモードＭＤ１を経由した詳細コピーモードＭＤ２への遷移とが実現される。より具体的には、操作者は、最初の任意の操作入力を付与することによって、スリープモードＭＤ０からクイックコピーモードＭＤ１への遷移を実現することができる。また、操作者は、クイックコピーモードＭＤ１への遷移完了後において、さらに次の任意の操作入力を付与することによって、詳細コピーモードＭＤ２への遷移をも実現することができる。したがって、操作者は、その意図を反映させて、両コピーモードＭＤ１，ＭＤ２のうちのいずれかを適宜に選択することができる。
【００６３】
ところで、上述したように、操作者は、誤った操作入力を行うことがある。例えば、操作パネルを「非表示」にしたままでクイックコピーモードＭＤ１によるコピー動作を行いたいにもかかわらず、操作パネルを「表示」させる詳細コピーモードＭＤ２への遷移指示を誤操作によって付与してしまうことが考えられる。
【００６４】
そこで、この第１実施形態においては、誤操作によってクイックコピーモードＭＤ１から詳細コピーモードＭＤ２への遷移動作（換言すれば、操作パネルの表示のための準備動作）が開始された場合であっても、クイックコピーモードＭＤ１へ比較的早期に復帰させることが可能な技術を例示する。具体的には、次に詳述するモード遷移ＣＳ３が実行される。これによれば、コピー開始までの不要な待ち時間の増大を抑制することが可能である。
【００６５】
図１１を参照して、このモード遷移ＣＳ３における動作について詳細に説明する。クイックコピーモードＭＤ１から詳細コピーモードＭＤ２への遷移中に、操作入力受付部２０で所定の操作入力（すなわち、任意の種類の操作入力）が受け付けられたときには、モード制御部１３は、パネルモジュールＰ２のＲＡＭ６０へのロードを中断し動作モードをクイックコピーモードＭＤ１へ遷移させる。
【００６６】
具体的には、クイックコピーモードＭＤ１から詳細コピーモードＭＤ２への遷移中に、操作入力受付部２０で操作入力が受け付けられると（図１１のステップＳ３１）、モード制御部１３は、当該ロードを中断する（ステップＳ３２）。なお、クイックコピーモードＭＤ１から詳細コピーモードＭＤ２への遷移中においては、上述したように、操作入力受付部２０で受け付けられる任意の種類の操作入力が、詳細コピーモードＭＤ２への遷移の中断とクイックコピーモードＭＤ１への遷移（復帰）とを指示する操作入力として受け付けられる（図７参照）。換言すれば、ステップＳ３１における操作入力（詳細コピーモードＭＤ２への遷移の中断とクイックコピーモードＭＤ１への遷移（復帰）とを指示する操作入力）は、操作パネル２１に対する操作入力であってもよいし、ハードキー２３に対する操作入力であってもよい。
【００６７】
パネルモジュールＰ２のＲＡＭ６０へのロードが中断されると（ステップＳ３２）、モード制御部１３は、ＲＡＭ６０にロードされたパネルモジュールＰ２の一部をＲＡＭ６０からクリア（消去）し、クイックコピーモードＭＤ１へ遷移（復帰）させる。
【００６８】
また、クイックコピーモードＭＤ１への復帰後においては、スタートキー２３５による操作入力が受け付けられると、コピー制御部１１によってコピーが開始される。また、スタートキー２３５以外による操作入力が受け付けられると、モード制御部１３は、再度、動作モードをクイックコピーモードＭＤ１から詳細コピーモードＭＤ２へ遷移させる。
【００６９】
以上のように、ＲＯＭ５０からＲＡＭ６０にロードされたコピーモジュールＰ１を用いてコピー制御部１１のコピー動作が制御されるとともに、ＲＯＭ５０からＲＡＭ６０にロードされたパネルモジュールＰ２を用いて操作パネル２１の表示動作が制御される。したがって、操作者は、パネルモジュールＰ２のロードを要しないクイックコピーモードＭＤ１におけるコピー動作と、操作パネル２１の表示動作を伴う詳細コピーモードＭＤ２におけるコピー動作とを適宜に選択して実行することが可能である。ひいては、操作者の意図を反映させてコピー動作中における操作パネル２１の表示と非表示とを適宜に切り換えることが可能である。
【００７０】
また、操作者の誤操作によってクイックコピーモードＭＤ１から詳細コピーモードＭＤ２へと遷移している際に、所定の操作入力（ここでは、任意の種類の操作入力）が操作入力受付部２０によって受け付けられたときには、ＲＡＭ６０へのパネルモジュールＰ２のロードが中断され、動作モードがクイックコピーモードＭＤ１へ遷移する。したがって、操作者は、誤操作により詳細コピーモードＭＤ２への遷移を開始させてしまった場合であっても、所定の操作入力を付与することによって、パネルモジュールＰ２のロードを中断し動作モードをクイックコピーモードＭＤ１へと遷移させることができる。したがって、操作者は、比較的長時間を要するパネルモジュールＰ２のロードの完了を待つことなく、クイックコピーモードＭＤ１におけるコピーを実行することが可能である。すなわち、コピー開始までの待ち時間を短縮させることが可能である。
【００７１】
また、スタートキー２３５のキー点灯部２３５Ｌは、スリープモードＭＤ０においては消灯し、クイックコピーモードＭＤ１においては点灯するので、操作者は、キー点灯部２３５Ｌの状態によって、スリープモードＭＤ０とクイックコピーモードＭＤ１とを視覚的に区別することが可能となる。したがって、動作モードが実際にはクイックコピーモードＭＤ１であるにもかかわらず当該動作モードがスリープモードＭＤ０であると誤認識されること、を防止することが可能である。ひいては、当該誤認識によって生じる誤操作を防止することが可能である。
【００７２】
また、キー点灯部２３５Ｌは、スリープモードＭＤ０からクイックコピーモードＭＤ１への遷移中においては点滅するため、操作者は、スリープモードＭＤ０からクイックコピーモードＭＤ１への遷移中であることを視覚的に認識することができる。同様に、キー点灯部２３５Ｌは、クイックコピーモードＭＤ１から詳細コピーモードＭＤ２への遷移中においても点滅するため、操作者は、クイックコピーモードＭＤ１から詳細コピーモードＭＤ２への遷移中であることを視覚的に認識することができる。
【００７３】
＜２．第２実施形態＞
第２実施形態は、第１実施形態の変形例である。以下では、第１実施形態との相違点を中心に説明する。
【００７４】
上記第１実施形態では、スリープモードＭＤ０から詳細コピーモードＭＤ２へと遷移する際にクイックコピーモードＭＤ１を常に経由する態様を例示した。
【００７５】
この第２実施形態では、クイックコピーモードＭＤ１を経由することなく、スリープモードＭＤ０から詳細コピーモードＭＤ２へと直接的に遷移することも可能な態様を例示する。
【００７６】
また、上記第１実施形態では、「クイックコピーモードＭＤ１」から詳細コピーモードＭＤ２への遷移中に所定の操作入力が受け付けられるときに、モード制御部１３がＲＡＭ６０へのパネルモジュールＰ２のロードを中断し動作モードをクイックコピーモードＭＤ１へ遷移させる態様を例示した。
【００７７】
この第２実施形態では、「スリープモードＭＤ０」から詳細コピーモードＭＤ２への直接的な遷移（直接遷移）中に所定の操作入力が受け付けられたときにも、モード制御部１３がＲＡＭ６０へのパネルモジュールＰ２のロードを中断し動作モードをクイックコピーモードＭＤ１へ遷移させる態様を例示する。
【００７８】
図１２は、第１実施形態の図７に対応する図であり、第２実施形態における各種操作入力と各種指示との関係を示す図である。
【００７９】
図１２に示すように、スリープモードＭＤ０においては、スタートキー２３５に対する操作入力（押下操作）はクイックコピーモードＭＤ１への遷移指示として認識され、スタートキー２３５以外の操作入力部（スタートキー２３５以外のキー、或いは操作パネル２１）による操作入力は詳細コピーモードＭＤ２への遷移指示として認識される。すなわち、スリープモードＭＤ０においてスタートキー２３５が押下されると、（第１実施形態と同様に）スリープモードＭＤ０からクイックコピーモードＭＤ１への遷移が行われる。一方、スタートキー２３５以外の操作入力部がスリープモードＭＤ０にて受け付けられると、（第１実施形態とは異なり）スリープモードＭＤ０から詳細コピーモードＭＤ２への遷移が行われる。
【００８０】
また、詳細コピーモードＭＤ２への遷移中においては、任意の種類の操作入力は何れもクイックコピーモードＭＤ１への遷移指示であるとみなされる。換言すれば、クイックコピーモードＭＤ１から詳細コピーモードＭＤ２への遷移中（後述するモード遷移ＣＳ３ａ中）、およびスリープモードＭＤ０から詳細コピーモードＭＤ２への遷移中（後述するモード遷移ＣＳ３ｂ中）のいずれにおいても、任意の種類の操作入力がクイックコピーモードＭＤ１への遷移指示として認識される。
【００８１】
なお、その他の対応関係については、第１実施形態と同様である。
【００８２】
図１３は、モード制御部１３によって制御されるモード遷移ＣＳ１ａ，ＣＳ１ｂ，ＣＳ２，ＣＳ３ａ，ＣＳ３ｂを示す図である。
【００８３】
図１３に示すように、モード遷移ＣＳ１ａ，ＣＳ２，ＣＳ３ａは、第１実施形態におけるモード遷移ＣＳ１，ＣＳ２，ＣＳ３（図８）にそれぞれ対応する。具体的には、モード遷移ＣＳ１ａはスリープモードＭＤ０からクイックコピーモードＭＤ１へのモード遷移であり、モード遷移ＣＳ２はクイックコピーモードＭＤ１から詳細コピーモードＭＤ２へのモード遷移である。また、モード遷移ＣＳ３ａは、クイックコピーモードＭＤ１から詳細コピーモードＭＤ２へのモード遷移の中断動作とクイックコピーモードＭＤ１へのモード移行動作（詳細には復帰動作）との組合せにより構成される遷移動作（組合せ遷移動作）である。各モード遷移ＣＳ１ａ，ＣＳ２，ＣＳ３ａにおいては、それぞれ、第１実施形態に係る対応モード遷移ＣＳ１，ＣＳ２，ＣＳ３と同様の動作が実行される。
【００８４】
また、モード遷移ＣＳ１ｂは、スリープモードＭＤ０から詳細コピーモードＭＤ２へのモード遷移である。すなわち、モード遷移ＣＳ１ｂでは、クイックコピーモードＭＤ１を介することなく、スリープモードＭＤ０から詳細コピーモードＭＤ２へ直接的に遷移する。
【００８５】
さらに、モード遷移ＣＳ３ｂは、モード遷移ＣＳ１ｂの例外的なモード遷移である。具体的には、モード遷移ＣＳ３ｂは、スリープモードＭＤ０から詳細コピーモードＭＤ２への直接的なモード遷移を中断する動作とクイックコピーモードＭＤ１への移行動作との組合せにより構成される遷移動作（組合せ遷移動作）である。このモード遷移ＣＳ３ｂは、詳細コピーモードＭＤ２への遷移中に所定の操作入力（ここでは任意の種類の操作入力）が受け付けられることに応答して、実行される。
【００８６】
最初に、モード遷移ＣＳ１ａ（スリープモードＭＤ０からクイックコピーモードＭＤ１へのモード遷移）とモード遷移ＣＳ１ｂ（スリープモードＭＤ０から詳細コピーモードＭＤ２へのモード遷移）とについて詳細に説明する。図１４は、モード遷移ＣＳ１ａ，ＣＳ１ｂにおけるモード制御部１３の動作を示すフローチャートである。
【００８７】
スリープモードＭＤ０において、操作入力受付部２０で操作者からの操作入力が受け付けられると（ステップＳ５１）、当該操作入力がスタートキー２３５に対する操作入力であるか否かが判定される（ステップＳ５２）。
【００８８】
スリープモードＭＤ０においてクイックコピーモードＭＤ１への遷移指示（スタートキー２３５の押下操作）が受け付けられたと判定される場合には、モード制御部１３は両モジュールＰ１，Ｐ２のうちコピーモジュールＰ１のみのロード処理を実行する（ステップＳ５３）。この結果、コピーモジュールＰ１がＲＡＭ６０にロードされ、ＭＦＰ１の動作モードはスリープモードＭＤ０からクイックコピーモードＭＤ１へ遷移する（モード遷移ＣＳ１ａ）。
【００８９】
一方、スリープモードＭＤ０において詳細コピーモードＭＤ２への遷移指示（スタートキー２３５以外の操作入力部に対する任意の種類の操作入力）が受け付けられたと判定される場合には、モード制御部１３はコピーモジュールＰ１のロード処理（ステップＳ５５）とパネルモジュールＰ２のロード処理（ステップＳ５６）とを実行する。この結果、コピーモジュールＰ１とパネルモジュールＰ２との両モジュールがＲＡＭ６０にロードされ、ＭＦＰ１の動作モードはスリープモードＭＤ０から詳細コピーモードＭＤ２へ遷移する（モード遷移ＣＳ１ｂ）。
【００９０】
以上の動作によれば、第１実施形態と同様に、操作者は、パネルモジュールＰ２のロードを要しないクイックコピーモードＭＤ１におけるコピー動作と、操作パネル２１の表示動作を伴う詳細コピーモードＭＤ２におけるコピー動作とを適宜に選択して実行することが可能である。したがって、操作者の意図を反映させてコピー動作中の操作パネル２１の表示と非表示とを適宜に切り換えることが可能である。
【００９１】
また、スリープモードＭＤ０においてスタートキー２３５以外の操作入力部に対する任意の種類の操作入力が受け付けられたときには、コピーモジュールＰ１のロード処理とパネルモジュールＰ２のロード処理とが実行される。したがって、操作者は、１回の操作によって、動作モードをスリープモードＭＤ０から詳細コピーモードＭＤ２へと遷移させることが可能である。
【００９２】
なお、ステップＳ５３のコピーモジュールのロード処理では、図９のステップＳ１２〜Ｓ１５の処理と同様の処理が実行される。ステップＳ５５においても、図９のステップＳ１２〜Ｓ１５の処理と同様の処理が実行される。また、ステップＳ５６のパネルモジュールのロード処理では、図１０のステップＳ２３〜Ｓ２５の処理と同様の処理が実行される。
【００９３】
つぎに、モード遷移ＣＳ３ｂについて詳細に説明する。このモード遷移ＳＣ３ｂは、誤操作に応じてスリープモードＭＤ０から詳細コピーモードＭＤ２への遷移動作が開始された場合に、クイックコピーモードＭＤ１へ比較的早期に復帰させるモード遷移である。
【００９４】
上述のように、スリープモードＭＤ０において詳細コピーモードＭＤ２への遷移指示が受け付けられたと判定されると、スリープモードＭＤ０から詳細コピーモードＭＤ２への遷移（モード遷移ＣＳ１ｂ）が開始される。そして、当該モード遷移ＣＳ１ｂが完了するまでに、換言すれば、スリープモードＭＤ０から詳細コピーモードＭＤ２への遷移中（ＲＡＭ６０へのパネルモジュールＰ２のロード中）において、操作者からの所定の操作入力（ここでは任意の種類の操作入力（図１２））が操作入力受付部２０により受け付けられると、次のような動作が実行される。具体的には、モード制御部１３は、パネルモジュールＰ２のＲＡＭ６０へのロードを中断し、ＲＡＭ６０にロードされたパネルモジュールＰ２の一部をＲＡＭ６０からクリア（消去）する。この結果、ＭＦＰ１の動作モードは、クイックコピーモードＭＤ１へ遷移する。
【００９５】
このように、操作者の誤操作によるスリープモードＭＤ０から詳細コピーモードＭＤ２への遷移中に、所定の種類の操作入力（上記では任意の種類の操作入力）が受け付けられたときには、ＭＦＰ１は、ＲＡＭ６０へのパネルモジュールＰ２のロードを中断し、その動作モードをクイックコピーモードＭＤ１へ遷移させる。したがって、操作者は、誤操作により詳細コピーモードＭＤ２への遷移を開始させてしまった場合であっても、所定の操作入力を付与することによって、パネルモジュールＰ２のロードを中断し動作モードをクイックコピーモードＭＤ１へと遷移させることができる。したがって、操作者は、比較的長時間を要するパネルモジュールＰ２のロードの完了を待つことなく、クイックコピーモードＭＤ１におけるコピーを実行することが可能である。すなわち、コピー開始までの待ち時間を短縮させることが可能である。
【００９６】
なお、クイックコピーモードＭＤ１への遷移後においては、第１実施形態と同様の動作が実行される。たとえば、スタートキー２３５による操作入力が受け付けられると、コピー制御部１１によってコピーが開始され、スタートキー２３５以外による操作入力が受け付けられると、クイックコピーモードＭＤ１から詳細コピーモードＭＤ２への遷移動作が行われる。
【００９７】
＜３．変形例等＞
以上、この発明の実施の形態について説明したが、この発明は上記で説明した内容のものに限定されるものではない。
【００９８】
たとえば、上記各実施形態においては、詳細コピーモードＭＤ２への遷移中（パネルモジュールＰ２のＲＡＭ６０へのロード中）に、所定の操作入力として任意の種類の操作入力が操作入力受付部２０により受け付けられたときに、ＲＡＭ６０へのパネルモジュールＰ２のロードを中断等する場合を例示したが、これに限定されない。
【００９９】
具体的には、所定の操作入力として、任意の種類の操作入力ではなく、一部の種類の操作入力（単一ないし複数の特定の操作入力）のみを採用し、当該特定の操作入力が受け付けられたときにのみパネルモジュールＰ２のロードを中断等するようにしてもよい。より詳細には、図１５に示されるように、ハードキー２３の１つとしてロード中断キー２３７を設けておき、詳細コピーモードＭＤ２への遷移中に、ロード中断キー２３７による操作入力が受け付けられたときにのみ、パネルモジュールＰ２のＲＡＭ６０へのロードを中断し、クイックコピーモードＭＤ１へ遷移させるようにしてもよい。なお、ロード中断キー２３７は、ロード中断を指示する専用キーであるとも表現できる。
【０１００】
このような態様によれば、パネルモジュールＰ２のロードを中断させ得る所定の操作入力の種類が一部の種類の操作入力のみに絞られ、パネルモジュールＰ２のＲＡＭ６０へのロードを中断させ得る操作入力の種類が明確になる。したがって、操作者は、当該特定の種類の操作入力（ロード中断キー２３７の押下操作）を意識的に用いて、より的確にパネルモジュールＰ２のＲＡＭ６０へのロードを中断させ、クイックコピーモードＭＤ１に復帰（遷移）させることが可能である。
【０１０１】
また、上記各実施形態においては、クイックコピーモードＭＤ１においてスタートキー２３５以外の操作入力部による操作入力が受け付けられると、モード制御部１３は、常にクイックコピーモードＭＤ１を詳細コピーモードＭＤ２へ遷移させる場合を例示したが、これに限定されない。たとえば、パネルモジュールＰ２のロードが中断され、クイックコピーモードＭＤ１に遷移したときには、クイックコピーモードＭＤ１への遷移完了時点から所定の期間においては、詳細コピーモードＭＤ２へ遷移指示を無効化するようにしてもよい。詳細には、当該クイックコピーモードＭＤ１においては、クイックコピーモードＭＤ１への遷移完了時点から所定の期間（たとえば、１分間）が経過するまでは、操作入力受付部２０で受け付けられる操作入力のうち、スタートキー２３５以外の操作入力（すなわち詳細コピーモードＭＤ２への遷移を指示する操作入力）は、無効な操作入力として認識される（無効とみなされる）ようにしてもよい。これによれば、クイックコピーモードＭＤ１への復帰時点から所定の期間においては、仮に操作者による誤操作が行われたとしても、詳細コピーモードＭＤ２へは遷移しない。したがって、クイックコピーモードＭＤ１への復帰後の所定の期間においては、操作者の誤操作に起因してパネルモジュールのロードが開始されることを防止できる。
【０１０２】
また、上記各実施形態においては、コピーモジュールＰ１が単一の構成単位で構成される場合を例示したが、これに限定されない。たとえば、コピーモジュールＰ１は、複数のサブモジュールの集合体として構成されてもよい。より詳細には、コピーモジュールＰ１は、複数のサブモジュール（例えば、スキャンモジュールおよびプリントモジュールなどのサブモジュール）で構成されてもよい。そして、ＲＡＭ６０にロードされた当該複数のサブモジュールのうち、スキャンモジュールを用いて画像読取部３０の動作を制御し、プリントモジュールを用いて印刷出力部４０の動作を制御すればよい。なお、同様にパネルモジュールＰ２も複数のサブモジュールで構成されてもよい。
【０１０３】
また、上記各実施形態においては、画像形成装置として、ＭＦＰを例示したが、これに限定されず、画像形成装置は単機能プリンタ等であってもよい。
【符号の説明】
【０１０４】
１  ＭＦＰ
２０  操作入力受付部
２１  操作パネル
２３  ハードキー
３０  画像読取部
４０  印刷出力部
５０  ＲＯＭ
６０  ＲＡＭ
２３１  テンキー
２３３  ストップキー
２３５  スタートキー
２３５Ｌ  キー点灯部
２３７  ロード中断キー
ＣＳ１，ＣＳ２，ＣＳ３，ＣＳ１ａ，ＣＳ１ｂ，ＣＳ３ａ，ＣＳ３ｂ  モード遷移
【図１】
2011154166.tif 000003
【図２】
2011154166.tif 000004
【図３】
2011154166.tif 000005
【図４】
2011154166.tif 000006
【図５】
2011154166.tif 000007
【図６】
2011154166.tif 000008
【図７】
2011154166.tif 000009
【図８】
2011154166.tif 000010
【図９】
2011154166.tif 000011
【図１０】
2011154166.tif 000012
【図１１】
2011154166.tif 000013
【図１２】
2011154166.tif 000014
【図１３】
2011154166.tif 000015
【図１４】
2011154166.tif 000016
【図１５】
2011154166.tif 000017